(57)【要約】      （修正有）【課題】マニキュアを塗る部位に応じてマニキュアブラシ（ブラシ部の大きさ）を選択して使用できるマニキュアボトル用キャップを提供する。【解決手段】マニキュアボトル用キャップ１は、マニキュアボトル２の口部に着脱可能に装着されるキャップ本体１０と、ロッド部２１とこのロッド部２１の先端に設けられたブラシ部２２とを有し、ブラシ部２２がマニキュアボトル２の底部に向かうようにキャップ本体１０に設けられ、キャップ本体１０に対し、ブラシ部２２の大きさが互いに異なる複数本のマニキュアブラシ２０が、それぞれのロッド部２１が軸線方向にスライド可能に設けられ、複数本のマニキュアブラシ２０のうちの任意の１本のマニキュアブラシ２０が他のマニキュアブラシ２０よりもマニキュアボトル２の底部に向かって大きく突出可能に設けられている。【選択図】図１
0003235370.tif 000002
【実用新案登録請求の範囲】
【請求項１】
マニキュアボトル（２）の口部（２ａ）に着脱可能に装着されるキャップ本体（１０）と、
ロッド部（２１）とこのロッド部（２１）の先端に設けられたブラシ部（２２）とを有し、ブラシ部（２２）がマニキュアボトル（２）の底部（２ｂ）に向かうように前記キャップ本体（１０）に設けられたマニキュアブラシ（２０）と、
を有するマニキュアボトル用キャップであって、
前記キャップ本体（１０）に対し、ブラシ部（２２）の大きさが互いに異なる複数本のマニキュアブラシ（２０）が、それぞれのロッド部（２１）が軸線方向にスライド可能に設けられ、
これら複数本のマニキュアブラシ（２０）のうちの任意の１本のマニキュアブラシ（２０）が他のマニキュアブラシ（２０）よりもマニキュアボトル（２）の底部（２ｂ）に向かって大きく突出可能に設けられていることを特徴とするマニキュアボトル用キャップ。
【請求項２】
請求項１において、
前記ロッド部（２１）には、ロッド部（２１）のスライド範囲を規制するストッパ（２１ｓ）と、ロッド部（２１）のスライド操作のための摘み部（２１ｔ）とが設けられていることを特徴とするマニキュアボトル用キャップ。
【請求項３】
請求項１において、
前記キャップ本体（１０）には、溝カム（３１）を有する円筒状または円柱状のカム体（３０）が回転可能に設けられ、
前記複数本のマニキュアブラシ（２０）のロッド部（２１）には、それぞれ前記溝カム（３１）と係合するカムフォロア（２４）が設けられ、
前記カム体（３０）の回動操作により前記ロッド部（２１）がスライドすることを特徴とするマニキュアボトル用キャップ。
【請求項４】
請求項３において、
前記溝カム（３１）は円筒状のカム体（３０）の内周面（３２）に設けられ、前記カムフォロア（２４）は円筒状のカム体（３０）の半径方向外側に向かって設けられていることを特徴とするマニキュアボトル用キャップ。
【考案の詳細な説明】
【技術分野】
【０００１】
本考案は、マニキュアボトル用キャップに関するものである。
【背景技術】
【０００２】
従来、例えば特許文献１に見られるように、
マニキュアボトル２の口部に着脱可能に装着されるキャップ本体４と、
ロッド部５３とこのロッド部５３の先端に設けられたブラシ部５３ａとを有し、ブラシ部５３ａがマニキュアボトル２の底部に向かうように前記キャップ本体４に設けられたマニキュアブラシと、
を有し、
キャップ本体４に対し、ロッド部５３が軸線方向にスライド可能に設けられたマニキュアボトル用キャップ３が知られている。
【０００３】
しかしこのものは、キャップ本体４に対し１本のマニキュアブラシしか設けられていない。
したがって、マニキュアを塗る部位に応じてマニキュアブラシ（ブラシ部の大きさ）を選択するということができない。
【０００４】
また、従来、例えば特許文献２に見られるように、
「複数の区画（１６、１７）、例えば２つまたは３つの区画を有する化合物用中空容器（９００）であって、１つまたは複数の液体（マニキュア液およびマニキュア除光液、ならびにマニキュア硬化剤など）、任意に流動固体（ネイルグリッターなど）、さらに任意にそれらの付属品（マニキュア除光液拭き取り用パッドなど）（８８）を収容、収納、および供給することができる化合物用中空容器を記載する。容器（９００）は、液体アプリケータ（５２）、例えば垂直に配置される長いブラシ（５３）、または各液体用の多孔性パッド、および任意に、流動固体用の流動固体（３００）ディスペンサ、例えば、容器（９００）の上蓋部（１０）に配置された開閉可能なスクリーン（２００）または複数の孔（２０１Ａ）を備える」（同文献要約欄）生成物を収容、収納、および供給する個別区画容器
が知られている。
【０００５】
しかしこのものは、マニキュアボトルのキャップ本体に対し１本のマニキュアブラシしか設けられていない。
したがって、このものも、マニキュアを塗る部位に応じてマニキュアブラシ（ブラシ部の大きさ）を選択するということができない。
【先行技術文献】
【特許文献】
【０００６】
【特許文献１】特開2012-120550号公報
【特許文献２】特表2005-516639号公報
【考案の概要】
【考案が解決しようとする課題】
【０００７】
本考案が解決しようとする課題は、マニキュアを塗る部位に応じてマニキュアブラシ（ブラシ部の大きさ）を選択して使用できるマニキュアボトル用キャップを提供することである。
【課題を解決するための手段】
【０００８】
上記課題を解決するために、本考案のマニキュアボトル用キャップは、
マニキュアボトルの口部に着脱可能に装着されるキャップ本体と、
ロッド部とこのロッド部の先端に設けられたブラシ部とを有し、ブラシ部がマニキュアボトルの底部に向かうように前記キャップ本体に設けられたマニキュアブラシと、
を有するマニキュアボトル用キャップであって、
前記キャップ本体に対し、ブラシ部の大きさが互いに異なる複数本のマニキュアブラシが、それぞれのロッド部が軸線方向にスライド可能に設けられ、
これら複数本のマニキュアブラシのうちの任意の１本のマニキュアブラシが他のマニキュアブラシよりもマニキュアボトルの底部に向かって大きく突出可能に設けられていることを特徴とする。
【０００９】
このマニキュアボトル用キャップは、上記の構成となっているので、次のようにして使用することができる。
複数本のマニキュアブラシのうち、マニキュアを塗る部位に適すると思われる大きさのブラシ部を有するマニキュアブラシを選択して他のマニキュアブラシよりも突出させ、その突出させたマニキュアブラシによって、マニキュアを塗ることができる。
このマニキュアブラシの選択は、マニキュアを塗る部位に応じて適宜行うことができる。
以上のように、このマニキュアボトル用キャップによれば、マニキュアを塗る部位に応じてマニキュアブラシ（ブラシ部の大きさ）を選択して使用することができる。
【００１０】
このマニキュアボトル用キャップにおいては、
前記ロッド部には、ロッド部のスライド範囲を規制するストッパと、ロッド部のスライド操作のための摘み部とが設けられている構成とすることができる。
このように構成すると、単純な構成で、マニキュアブラシを選択可能とすることができる。
【００１１】
このマニキュアボトル用キャップにおいては、
前記キャップ本体には、溝カムを有する円筒状または円柱状のカム体が回転可能に設けられ、
前記複数本のマニキュアブラシのロッド部には、それぞれ前記溝カムと係合するカムフォロアが設けられ、
前記カム体の回動操作により前記ロッド部がスライドする構成とすることができる。
このように構成すると、キャップ本体に設けられたカム体を回転させるという簡単な操作で、マニキュアブラシを選択することができる。
【００１２】
このマニキュアボトル用キャップにおいては、
前記溝カムは円筒状のカム体の内周面に設けられ、前記カムフォロアは円筒状のカム体の半径方向外側に向かって設けられている構成とすることができる。
このように構成すると、カム体の外径を大きくして回しやすくすることができる。
【図面の簡単な説明】
【００１３】
【図１】本考案に係るマニキュアボトル用キャップの実施の形態を示す図で、（ａ１）は部分省略平面図、（ａ２）は正断面図、（ｂ）（ｃ）はそれぞれ使用法説明図。
【図２】（ａ１）（ａ２）は他の実施の形態の概略平面図と正断面図、（ｂ１）（ｂ２）はさらに他の実施の形態を示す概略平面図と正断面図、（ｃ）はカムの展開図。
【考案を実施するための形態】
【００１４】
以下、本考案に係るマニキュアボトル用キャップの実施の形態について図面を参照して説明する。なお、各図において、同一部分ないし相当する部分には、同一の符号を付してある。
【００１５】
図１（ａ１）（ａ２）に示すように、この実施の形態のマニキュアボトル用キャップ１は、
マニキュアボトル２の口部２ｂに着脱可能に装着されるキャップ本体１０と、
ロッド部２１とこのロッド部２１の先端に設けられたブラシ部２２とを有し、ブラシ部２２がマニキュアボトル２の底部２ｂに向かうように前記キャップ本体１０に設けられたマニキュアブラシ２０と、を有するマニキュアボトル用キャップであって、
前記キャップ本体１０に対し、ブラシ部２２の大きさが互いに異なる複数本（図示のものは２本）のマニキュアブラシ２０が、それぞれのロッド部２１が軸線方向（図１において上下方向）にスライド可能に設けられ、
これら複数本のマニキュアブラシ２０のうちの任意の１本のマニキュアブラシ２０が他のマニキュアブラシ２０よりもマニキュアボトル２の底部２ｂに向かって大きく突出可能に設けられている。
【００１６】
図１に示すマニキュアブラシ２０（Ｌ，Ｓ）は、一方のブラシ部２２Ｌが他方のブラシ部２２Ｓよりも大きくなっている。
【００１７】
このマニキュアボトル用キャップは、上記の構成となっているので、次のようにして使用することができる。
【００１８】
複数本のマニキュアブラシ２０のうち、マニキュア（図示せず）を塗る部位に適すると思われる大きさのブラシ部２２を有するマニキュアブラシ２０を選択して他のマニキュアブラシ２０よりも突出させ、その突出させたマニキュアブラシ２０によって、マニキュアを塗ることができる。
【００１９】
例えば、塗布面積が広い場合には、図１（ｂ）に示すように、大きなブラシ部２２Ｌを有するマニキュアブラシ２０Ｌを他方のマニキュアブラシ２０Ｓよりも突出させ、大きなブラシ部２２Ｌでマニキュアを塗ることができる。
【００２０】
逆に、塗布面積が狭い場合には、図１（ｃ）に示すように、小さなブラシ部２２Ｓを有するマニキュアブラシ２０Ｓを他方のマニキュアブラシ２０Ｌよりも突出させ、小さなブラシ部２２Ｓでマニキュアを塗ることができる。
【００２１】
このように、マニキュアブラシ２０の選択は、マニキュアを塗る部位に応じて適切に行うことができる。
【００２２】
以上のように、このマニキュアボトル用キャップによれば、マニキュアを塗る部位に応じてマニキュアブラシ２０（ブラシ部２２の大きさ）を選択して使用することができる。
【００２３】
図１に示すロッド部２１には、ロッド部２１のスライド範囲を規制するストッパ２１ｓと、ロッド部２１のスライド操作のための摘み部２１ｔとが設けられている。
このように構成すると、単純な構成で、マニキュアブラシ２０を選択可能にスライドさせることができる。
【００２４】
１１は、キャップ本体１０に設けられたガイド溝であり、このガイド溝１１に案内されてストッパ２１ｓがスライドする。したがって、ストッパ２１ｓはスライダとしての役割も果たす。ストッパ２１ｓがキャップ本体１０側のストッパ１０ｓ、１１ｓに当接することで、マニキュアブラシ２０のスライド範囲が規定される。
【００２５】
マニキュアブラシ２０をスライドさせる機構として、図２（ａ１）（ａ２）または（ｂ１）（ｂ２）に示すようなカム機構を用いることができる。
【００２６】
このマニキュアボトル用キャップにおいては、
キャップ本体１０には、溝カム３１を有する円筒状または円柱状のカム体３０が回転可能に設けられ、
複数本のマニキュアブラシ２０のロッド部２１には、それぞれ溝カム３１と係合するカムフォロア２４が設けられ、
カム体３０の回動操作によりロッド部２１が矢印Ｓで示すようにスライドする。
【００２７】
このように構成すると、キャップ本体１０に設けられたカム体３０を回転させるという簡単な操作で、マニキュアブラシ２０を選択することができる。
【００２８】
図（ｂ１）（ｂ２）に示すものにおいては、
溝カム３１は円筒状のカム体３０の内周面３２に設けられ、カムフォロア２４はロッド部２１から円筒状のカム体３０の半径方向外側に向かって設けられている。
【００２９】
このように構成すると、カム体３０の外径を大きくして回しやすくすることができる。
【００３０】
図（ｃ）に溝カム３１の展開図の一例を示す。
【００３１】
なお、マニキュアブラシ２０をスライドさせる機構としては、複数色のボールペンに採用されていて、任意の色の芯を選択的突出させる公知の機構を採用することもできる。
【００３２】
以上、本考案の実施の形態について説明したが、本考案は上記の実施の形態に限定されるものではなく、本考案の要旨の範囲内において適宜変形実施可能である。例えば、
【００３３】
ブラシ部２２の大きさが互いに異なるマニキュアブラシ２０の本数は３本以上とすることができる。
【符号の説明】
【００３４】
１：    マニキュアボトル用キャップ
２：    マニキュアボトル
１０：    キャップ本体
２０：    マニキュアブラシ
２１：    ロッド部
２２：    ブラシ部
２４：    カムフォロア
３１：    溝カム
３０：    カム体
【図１】
0003235370.tif 000003
【図２】
0003235370.tif 000004